(57)【特許請求の範囲】
【請求項１】
自動販売機等のハウジング内に紙幣識別機を取り付けるための紙幣識別機を取付装置において、
前記紙幣識別機の上端または下端の一方の端部がハウジングに対して回動可能に枢着されており、
前記紙幣識別機の他端を係止する係留装置を備え、
前記係留装置は、前記紙幣識別機の紙幣挿入口の側からこの紙幣挿入口へ工具等を差し込んで押し込み方向へ力が加えられると後方へ外れるように前記紙幣識別機の他端を係止する
ことを特徴とする紙幣識別機の取付装置。
【請求項２】
前記紙幣識別機は前記他端に係止板を備え、
前記係留装置は、前記ハウジング側に設けられていると共に、前記係止板を係止する係止爪とバネ手段とを有し、
通常の使用状態において前記バネ手段の付勢力によって前記係止板が前記係止爪によって係止されていると共に、前記紙幣識別機の前記紙幣挿入口へ工具等を差し込んで押し込み方向へ力が加えられると前記係止板が前記係止爪から外れる
ことを特徴とする請求項１に記載の紙幣識別機の取付装置。
【請求項３】
紙幣識別機の上端または下端の一方の端部をハウジングに対して回動可能に枢着すると共に、紙幣識別機の他端に係止板を固着し、この係止板をハウジングの側に固着された係留装置で係止するようにし、
前記係留装置は、ハウジングの側に固着され、所定の傾斜角度を付与された傾斜板を有する固定フレームと、前記傾斜板の上面に沿って滑動可能であって、先端に前記紙幣識別機の係止板と係合可能な係止爪を有するラッチ板と、このラッチ板を常に後退する方向に付勢するばね手段とから構成されていることを特徴とする紙幣識別機の取付装置。
【発明の詳細な説明】
【０００１】
【発明の属する技術分野】
本発明は紙幣識別機の取付装置に係り、特に自動販売機や両替機のハウジングの内側に取り付けられる紙幣識別機の取付装置に関する。
【０００２】
【従来の技術】
一般に自動販売機や両替機には紙幣識別機が組み込まれ、紙幣挿入口より挿入された紙幣の真偽が識別されたのち、紙幣は紙幣ストッカー内へ収納される。従来、この紙幣識別機は、自動販売機などのハウジングの内壁面や扉の内側の面に小ねじを使って堅固に固着されている。
【０００３】
【発明が解決しようとする課題】
このように、従来の紙幣識別機は自動販売機などの固定ハウジングに対して剛性的に堅固に固定されている。自動販売機内の紙幣硬貨などを不当に窃取するために、紙幣識別機の紙幣挿入口の側からバールなどの工具を差し込んで押し込み方向に外力が加わった場合に、紙幣識別機が破損される虞れがあった。  そこで、本発明の目的は、上述した従来技術が有する問題点を解消し、紙幣識別機を押し込む方向の不当な力が外部から作用した場合に、紙幣識別機を後方へ逃がして紙幣識別機が破壊されないようにした紙幣識別機の取付装置を提供することにある。
【０００４】
【課題を解決するための手段】
この目的を達成するために本願発明は、自動販売機等のハウジング内に紙幣識別機を取り付けるための紙幣識別機を取付装置において、前記紙幣識別機の上端または下端の一方の端部がハウジングに対して回動可能に枢着され、前記紙幣識別機の他端を係止する係留装置を備え、前記係留装置は、前記紙幣識別機の紙幣挿入口の側からこの紙幣挿入口へ工具等を差し込んで押し込み方向へ力が加えられると後方へ外れるように前記紙幣識別機の他端を係止することを特徴とする。
【０００５】
また、本願発明は、前記紙幣識別機は前記他端に係止板を備え、前記係留装置は、前記ハウジング側に設けられていると共に、前記係止板を係止する係止爪とバネ手段とを有し、通常の使用状態において前記バネ手段の付勢力によって前記係止板が前記係止爪によって係止されていると共に、前記紙幣識別機の前記紙幣挿入口へ工具等を差し込んで押し込み方向へ力が加えられると前記係止板が前記係止爪から外れることを特徴とする。
【０００６】
また、本願発明は、紙幣識別機の上端または下端の一方の端部をハウジングに対して回動可能に枢着すると共に、紙幣識別機の他端に係止板を固着し、この係止板をハウジングの側に固着された係留装置で係止するようにし、前記係留装置は、ハウジングの側に固着され、所定の傾斜角度を付与された傾斜板を有する固定フレームと、前記傾斜板の上面に沿って滑動可能であって、先端に前記紙幣識別機の係止板と係合可能な係止爪を有するラッチ板と、このラッチ板を常に後退する方向に付勢するばね手段とから構成されていることを特徴とする。
【０００７】
【発明の実施の形態】
以下本発明による紙幣識別機の取付装置の実施の形態を図１ないし図６を参照して説明する。
図１及び図２において、符号１は、自動販売機のハウジングの一部を示しており、ハウジング１の一部には、購買者が紙幣を投入するための紙幣挿入口２が形成されている。
【０００８】
前記ハウジング１の内側には紙幣識別機３が配置されている。この紙幣識別機３は、紙幣の真偽を識別するための種々の機構が内部に組み込まれているが、本発明の要旨に関係しないのでそれらの構成の詳細な説明は省略する。前記紙幣識別機３の下端部は、固定ブラケット４に対して枢支軸５を中心として回動可能に枢着されている。
【０００９】
また、前記紙幣識別機３の上端には、アングル状の係止板６が固着されている。
一方、前記ハウジング１の側には、全体を符号７で示した係留装置が固着されている。この係留装置７は、使用待機状態において、紙幣識別機３を固定保持する手段である。係留装置７は、ハウジング１から内方へ突き出した固定フレーム８を有し、この固定フレーム８には傾斜板９が切り起こされ、この傾斜板９は水平面に対して所定の角度Θをもった上り勾配が付与され、傾斜板９の中央部には、縦方向の長孔１０が形成されている。この傾斜板９の上面には、前後方向へ滑動可能なラッチ板１１が装着されている。
このラッチ板１１は、先端が下向きに曲げられた係止爪１２を有すると共に、前記傾斜板９の長孔１０を貫通する一対の止めねじ１３、１３により脱落しないように保持されると共に前後方向へ滑動可能に構成されている。
【００１０】
このラッチ板１１の先端近くには、耳片１５、１５が突設され、この耳片１５、１５と固定フレーム８の側のスプリング受けとの間に一対のコイルスプリング１６，１６が弾装されている。
本発明はこのように構成されているから、通常の使用状態においては、紙幣識別機３の紙幣受入口とハウジング１の紙幣挿入口２とが整合した状態で直立状態に保持されている。すなわち、この状態では、係留装置７のラッチ板１１の係止爪１２が、図３に示すように、紙幣識別機３の係止板６に確実に係合している。
【００１１】
この状態から、意図的に外部から、紙幣識別機３を内側へ押し込むような力（図１のＦ）が作用したとき、紙幣識別機３は、枢支軸５を中心として回動しようとし、ラッチ板１１がコイルスプリング１６，１６のばね力に抗して傾斜板９の上面に沿って滑動する。すると、図４および図５に示すように、ラッチ板１１の係止爪１２との噛み合いが徐々に浅くなって、ついには、図６に示すように、紙幣識別機が内方へ倒れる。したがって、自動販売機などの外部から、紙幣や硬貨を窃取しにくくなる。
【００１２】
なお、以上の実施例では、紙幣識別機の下端を枢着し、紙幣識別機の上端を係留装置を使って固定する例について説明したが、本発明はこれに限らず、紙幣識別機の上端を係止し、紙幣識別機の下端を係留装置しても良い。
【００１３】
【発明の効果】
以上の説明から明らかなように本発明によれば、紙幣識別機の一端を回動可能に枢支すると共に、他端に係止板を設け、この係止板を固定ハウジングの側の固定装置で係止するようにしたから、紙幣識別機に対して不当な押し込み力が作用したときに紙幣識別機が係止板の係留が外れ、紙幣識別機を枢支軸まわりに回動させ、紙幣識別機を固定ハウジングから後退させることができる。
【図面の簡単な説明】
【図１】本発明による紙幣識別機の使用状態を示した側面図。
【図２】同上の紙幣識別機の平面図。
【図３】ラッチ板の係止爪が拘束状態にある係留装置の拡大図。
【図４】ラッチ板の係止爪が外れる途中経過を示した側面図。
【図５】ラッチ板の係止爪の係留が外れる寸前の状態を示した側面図。
【図６】紙幣識別機が係留を解かれ外れた状態を示した側面図。
【符号の説明】
１  ハウジング
３  紙幣識別機
５  枢支軸
６  係止板
７  係留装置
８  固定フレーム
９  傾斜板
１１  ラッチ板
１２  係止爪
１６  コイルスプリング
【図１】
0003761625.tif 000002
【図２】
0003761625.tif 000003
【図３】
0003761625.tif 000004
【図４】
0003761625.tif 000005
【図５】
0003761625.tif 000006
【図６】
0003761625.tif 000007